(57)【要約】【課題】光ファイバ心線の端末部を保護する。【解決手段】光ファイバ心線２００の端末部２１０に取り付けられる端末保護具１００は、光ファイバ心線２００の端末部２１０を挟むように重ねて設けられる第１及び第２部材１１０，１２０と、それらを重ねた状態で固定する固定手段１５０とを備える。第１及び第２部材１１０，１２０は、光ファイバ心線２００の端末部２１０を挟むように重ねて設けられたとき、端末部２１０の基端側部分２１１を挟持保持する挟持保持部が組合せ構成されると共に、挟持保持部で挟持保持された基端側部分２１１から先の先端側部分２１２を非接触状態で収容する先端収容室１４０が組合せ構成されるように、それぞれの形状が形成されている。【選択図】図１３
2011237619.tif 000002
【特許請求の範囲】
【請求項１】
光ファイバ心線の端末部に取り付けられる端末保護具であって、
光ファイバ心線の端末部を挟むように重ねて設けられる第１及び第２部材と、該第１及び第２部材を重ねた状態で固定する固定手段と、を備え、
上記第１及び第２部材は、光ファイバ心線の端末部を挟むように重ねて設けられたとき、端末部の基端側部分を挟持保持する挟持保持部が組合せ構成されると共に、該挟持保持部で挟持保持された基端側部分から先の先端側部分を非接触状態で収容する先端収容室が組合せ構成されるように、それぞれの形状が形成されている、光ファイバ心線の端末保護具。
【請求項２】
請求項１に記載された光ファイバ心線の端末保護具において、
上記第１及び第２部材の一方は、上記第１及び第２部材が光ファイバ心線の端末部を挟むように重ねて設けられたとき、外部に延びた光ファイバ心線の一定長さが接触するように設けられた心線接触台を有する、光ファイバ心線の端末保護具。
【請求項３】
請求項２に記載された光ファイバ心線の端末保護具において、
上記第１及び第２部材のうち少なくとも一方には、光ファイバ心線の端末部を該第１及び第２部材の配設方向に直交する方向に位置規制する心線位置規制部が設けられている、光ファイバ心線の端末保護具。
【請求項４】
請求項１乃至３のいずれかに記載された光ファイバ心線の端末保護具において、
上記第１及び第２部材のうち少なくとも一方には、上記挟持保持部を構成する部分にゴムシートが貼設されている、光ファイバ心線の端末保護具。
【請求項５】
請求項１乃至４のいずれかに記載された光ファイバ心線の端末保護具において、
上記第１及び第２部材のうち少なくとも一方には、上記先端収容室を構成する部分に内部確認孔が形成されている、光ファイバ心線の端末保護具。
【請求項６】
請求項１乃至５のいずれかに記載された光ファイバ心線の端末保護具において、
上記第１及び第２部材はヒンジにより連結されて一体に形成されている、光ファイバ心線の端末保護具。
【発明の詳細な説明】
【技術分野】
【０００１】
本発明は光ファイバ心線の端末部に取り付けられる端末保護具に関する。
【背景技術】
【０００２】
光ファイバケーブルの端末から引き出された光ファイバ心線を保護する手段が種々提案されている。
【０００３】
例えば、特許文献１には、光ファイバセンサケーブルの端末が端末保護管で保護された構造が開示されている。
【０００４】
特許文献２には、光ファイバケーブルの端末から引き出された光ファイバ心線の保護部材として、光ファイバ心線が挿通される合成樹脂パイプの周りに補強繊維が配置され、その上に被覆が施された保護チューブが開示されている。
【先行技術文献】
【特許文献】
【０００５】
【特許文献１】特開２００９−２１０２７９号公報
【特許文献２】特開平１１−８４１８９号公報
【発明の概要】
【発明が解決しようとする課題】
【０００６】
光ファイバ心線の端末部は、例えば、被覆層を剥がして光ファイバを露出させたり、また、フェルールを取り付けたり、さらに、光ファイバの端面を研磨したりする等の端末加工が施され、その後、装置や他の光ファイバ心線等への接続がなされる。
【０００７】
このように光ファイバ心線の端末部は外部との接続部を構成する重要な部位であり、その接続部において光伝送特性が損なわれることがないよう、光ファイバ心線の保管時等には、端末部が傷付いたり、或いは、汚れたりするのを防ぐ配慮が必要となる。
【０００８】
本発明の課題は、光ファイバ心線の端末部を保護することである。
【課題を解決するための手段】
【０００９】
本発明は、光ファイバ心線の端末部に取り付けられる端末保護具であって、
光ファイバ心線の端末部を挟むように重ねて設けられる第１及び第２部材と、該第１及び第２部材を重ねた状態で固定する固定手段と、を備え、
上記第１及び第２部材は、光ファイバ心線の端末部を挟むように重ねて設けられたとき、端末部の基端側部分を挟持保持する挟持保持部が組合せ構成されると共に、該挟持保持部で挟持保持された基端側部分から先の先端側部分を非接触状態で収容する先端収容室が組合せ構成されるように、それぞれの形状が形成されている。
【発明の効果】
【００１０】
本発明によれば、光ファイバ心線の端末部を挟むように第１及び第２部材を重ねて設けることにより、端末部の基端側部分が挟持保持部により挟持保持され、そして、基端側部分から先の先端側部分が先端収容室に非接触状態で収容されるので、光ファイバ心線の端末部を有効に保護することができる。
【図面の簡単な説明】
【００１１】
【図１】実施形態に係る端末保護具における上側部材が下側部材に対して閉じた状態を示す斜視図である。
【図２】実施形態に係る端末保護具における上側部材が下側部材に対して開いた状態を示す斜視図である。
【図３】実施形態に係る端末保護具の平面図である。
【図４】固定部材の正面図である。
【図５】実施形態に係る端末保護具の左側面図である。
【図６】実施形態に係る端末保護具の正面図である。
【図７】本実施形態に係る端末保護具の光ファイバ心線の端末部への取り付け方法を示す第１の説明図である。
【図８】本実施形態に係る端末保護具の光ファイバ心線の端末部への取り付け方法を示す第２の説明図である。
【図９】本実施形態に係る端末保護具の光ファイバ心線の端末部への取り付け方法を示す第３の説明図である。
【図１０】本実施形態に係る端末保護具の光ファイバ心線の端末部への取り付け方法を示す第４の説明図である。
【図１１】本実施形態に係る端末保護具の光ファイバ心線の端末部への取り付け方法を示す第５の説明図である。
【図１２】図３におけるXII-XII断面図である。
【図１３】図３におけるXIII-XIII断面図である。
【発明を実施するための形態】
【００１２】
以下、実施形態について図面に基づいて詳細に説明する。
【００１３】
図１〜３は本実施形態に係る端末保護具１００を示す。本実施形態に係る端末保護具１００は、光ファイバ心線２００の端末部２１０に取り付けられる心線端末保護手段を構成するものである。
【００１４】
本実施形態に係る端末保護具１００は、射出成形により細長形状に形成された樹脂成形部材が組み合わされて構成されている。本実施形態に係る端末保護具１００を形成する樹脂材料としては、例えば、ポリエチレン樹脂、ポリプロピレン樹脂、ポリエステル樹脂等の熱可塑性樹脂が挙げられる。本実施形態に係る端末保護具１００は、内部が視認可能な透明樹脂で形成されていてもよく、また、内部が視認不能な着色樹脂で形成されていてもよい。本実施形態に係る端末保護具１００は、例えば、長さが４０〜６０ｍｍ、幅が５〜２０ｍｍ、及び厚さが６〜１５ｍｍである。
【００１５】
本実施形態に係る端末保護具１００は、上下に分割されて構成された上側及び下側部材１１０，１２０（第１及び第２部材）を備え、そして、その上側及び下側部材１１０，１２０がそれらの長さ方向の一端においてヒンジ１３０で連結されて一体に形成され、そのヒンジ１３０で上側部材１１０が下側部材１２０に対して折り返されることで、それらが重ねて設けられるように構成されている。
【００１６】
上側部材１１０は、ヒンジ１３０が設けられた一端側とは反対の他端側の部分が、両面テープ或いは接着剤によってゴムシート１１３が貼設され上側心線保持部１１１に、また、その一端側に連続する部分が下側に開口した上側凹部１１２に、それぞれ構成されている。上側心線保持部１１１に貼設されたゴムシート１１３は例えば架橋された天然ゴム組成物や合成ゴム組成物で形成されており、その厚さは例えば０．５〜２．０ｍｍである。
【００１７】
上側部材１１０には、上側凹部１１２における長さ方向の上側心線保持部１１１寄りで且つ幅方向中央に、厚さ方向に貫通した内部確認孔１１４が形成されている。内部確認孔１１４の孔径は例えば２〜６ｍｍである。
【００１８】
下側部材１２０は、上側部材１１０の上側心線保持部１１１に対応する部分が水平で平坦な上面を有する下側心線保持部１２１に、また、その一端側に連続して上側部材１１０の上側凹部１１２に対応する部分が上側に開口した下側凹部１２２に、さらに、下側心線保持部１２１の他端側に連続する部分が下側心線保持部１２１と面一状の水平で平坦な上面を有する心線接触台１２３に、それぞれ構成されている。下側心線保持部１２１及び心線接触台１２３のそれぞれには下側に開口した凹部が形成されている。
【００１９】
下側部材１２０には、下側凹部１２２と下側心線保持部１２１との間を仕切るように幅方向に間隔をおいて一対の一端側壁部１２４が立設されている。また、下側部材１２０には、下側心線保持部１２１と心線接触台１２３との間を仕切るように幅方向に間隔をおいて一対の他端側壁部１２５が立設されている。一対の一端側壁部１２４間の間隙及び一対の他端側壁部１２５間の間隙のそれぞれは幅方向の中央に設けられており、その寸法は例えば０．１〜１．０ｍｍである。
【００２０】
本実施形態に係る端末保護具１００は、ヒンジ１３０で上側部材１１０が下側部材１２０に対して折り返されて、それらが重ねて設けられると、上側部材１１０の上側心線保持部１１１が、一対の一端側壁部１２４と一対の他端側壁部１２５との間に嵌め込まれると共に、下側部材１２０の下側心線保持部１２１との間に間隔を有して位置付けられる。これらの上側心線保持部１１１及び下側心線保持部１２１により、光ファイバ心線２００の端末部２１０の基端側部分２１１を挟持保持する挟持保持部が組合せ構成される。上側心線保持部１１１と下側心線保持部１２１との間の間隔の寸法は例えば０．１〜１．０ｍｍである。また、上側部材１１０の上側凹部１１２と下側部材１２０の下側凹部１２２とが向かい合って設けられることにより、内部に、光ファイバ心線２００の端末部２１０の基端側部分２１１から先の先端側部分２１２を非接触状態で収容する先端収容室１４０が組合せ構成される。
【００２１】
本実施形態に係る端末保護具１００は、上側及び下側部材１１０，１２０を重ねた状態で固定する固定部材１５０（固定手段）を備えている。固定部材１５０は、コの字の開口を下向きに配した形状に形成されており、上側部材１１０に上側から外嵌めするように設けられている。
【００２２】
固定部材１５０は、図４に示すように、両側片１５１のそれぞれの下部内側に、突出した隅部を形成する段差と下端部の内向き斜め上に延びた係合爪１５２とにより、内向きに開口した断面台形の長さ方向に延びる嵌合溝１５３が構成されている。一方、上側及び下側部材１１０，１２０には、図５に示すように、それらが重ねて設けられた状態において、上側及び下側凹部１１２，１２２における長さ方向の上側及び下側心線保持部１１１，１２１寄りの部位に、固定部材１５０の嵌合溝１５３に嵌合する断面台形の一端側ガイド突条１６１が上側及び下側部材１１０，１２０の分割ラインに沿って長さ方向に延びるように設けられている。この一端側ガイド突条１６１は、上側部材１１０と一体に形成され、その両側下端のそれぞれから側方に突出して下方に垂下するように設けられている。また、上側及び下側部材１１０，１２０には、図６に示すように、上側及び下側心線保持部１１１，１２１に対応する部位に、固定部材１５０の嵌合溝１５３に嵌合する断面台形の他端側ガイド突条１６２が上側及び下側部材１１０，１２０の分割ラインに沿って長さ方向に延びるように設けられている。この他端側ガイド突条１６２は、上側及び下側部材１１０，１２０の分割ラインに沿ってそれぞれ上側及び下側突条１６２ａ，１６２ｂに分割されており、上側突条１６２ａが上側部材１１０と、また、下側突条１６２ｂが下側部材１２０とそれぞれ一体に形成されている。
【００２３】
固定部材１５０は、嵌合溝１５３が一端側ガイド突条１６１及び他端側ガイド突条１６２によって案内されることにより、上側及び下側部材１１０，１２０の外側を長さ方向にスライド可能に構成されている。そして、固定部材１５０は、嵌合溝１５３が一端側ガイド突条１６１位置に位置付けられているときには、係合爪１５２が下側部材１２０に係合することなく上側部材１１０のみに係合し、従って、上側部材１１０が下側部材１２０に対して開閉可能なアンロック状態（非固定状態）となる。また、嵌合溝１５３が他端側ガイド突条１６２位置に位置付けられているときには、係合爪１５２が上側部材１１０の上側突条１６２ａよりも下側の下側部材１２０の下側突条１６２ｂに係合し、従って、上側部材１１０が下側部材１２０に対して開閉不能なロック状態（固定状態）となる。つまり、嵌合溝１５３が一端側ガイド突条１６１位置に位置付けられたときの固定部材１５０の位置がアンロック位置、及び嵌合溝１５３が他端側ガイド突条１６２位置に位置付けられたときの固定部材１５０の位置がロック位置となる。なお、固定部材１５０の両側片１５１のそれぞれの外側には、スライド操作用の多段差形状のつまみ部１５４が設けられている。
【００２４】
上側部材１１０の上面の内部確認孔１１４の一端側には、他端側を向く縦壁面を有する断面三角形状のストッパ突起１１５が一体に突設されており、これにより固定部材１５０の一端側への過剰なスライド移動が規制されている。また、上側部材１１０の上面の内部確認孔１１４の他端側には、高さの低い係合突起１１６が一体に突設されており、これにより固定部材１５０のアンロック位置及びロック位置相互間の不用意な移動が規制されている。なお、固定部材１５０がアンロック位置に位置付けられると、固定部材１５０によって内部確認孔１１４が覆われることとなる。さらに、上側部材１１０の他端には、上方に延びるストッパ壁１１７が全幅で一体に突設されており、これにより固定部材１５０の他端側への過剰なスライド移動及び上側部材１１０からの脱落が規制されている。
【００２５】
次に、光ファイバ心線２００の端末部２１０への本実施形態に係る端末保護具１００の取り付け方法について説明する。
【００２６】
まず、図７に示すように、固定部材１５０がロック位置に位置付けられた本実施形態に係る端末保護具１００における重ねて設けられた上側及び下側部材１１０，１２０の一端側部分の幅方向（或いは厚さ方向）の両側を一方の手の親指と人差し指とで挟んで持ち、また、固定部材１５０の両側のつまみ部１５４を他方の手の親指と人差し指とで挟んで持ち、そして、固定部材１５０を一端側（矢印の向き）に押してスライド移動させる。このとき、固定部材１５０は、係合突起１１６を乗り越えた後、ストッパ突起１１５に当接して移動規制されることによりアンロック位置に位置付けられる。
【００２７】
次いで、図８に示すように、上側部材１１０を下側部材１２０に対して開き、下側部材１２０の一端側部分の幅方向の両側を一方の手の親指と人差し指とで挟んで持ち、また、光ファイバ心線２００を他方の手の親指と人差し指及び中指との間で挟んで持ち、そして、他方の手で持った光ファイバ心線２００の端末部２１０の基端側部分２１１を一対の一端側壁部１２４間の隙間及び一対の他端側壁部１２５間の隙間に上方から差し入れると共に、基端側部分２１１から先の先端側部分２１２が下側凹部１２２に非接触となるように光ファイバ心線２００を長さ方向に位置調整する。このとき、一対の一端側壁部１２４及び一対の他端側壁部１２５は、光ファイバ心線２００の端末部２１０を上側及び下側部材１１０，１２０の配設方向である上下方向に直交する横方向（端末保護具１００の幅方向）に位置規制する。つまり、一対の一端側壁部１２４及び一対の他端側壁部１２５は心線位置規制部を構成する。このように光ファイバ心線２００の端末部２１０の基端側部分２１１を一対の一端側壁部１２４間の隙間及び一対の他端側壁部１２５間の隙間に上方から差し入れるように設けるので、光ファイバ心線２００の先端が他部材に接触することがなく、従って、光ファイバ心線の先端に保護チューブを被せる場合のように心線先端が損傷を受けることもない。
【００２８】
次いで、図９に示すように、他方の手の人差し指で下側部材１２０の下面における心線接触台１２３に対応する部分を支持すると共に、他端側壁部１２５間から外部に延びる光ファイバ心線２００における心線接触台１２３上に接触する一定長さの部分を、親指で押圧して固定する。この状態で、片手だけで光ファイバ心線２００の端末部２１０の端末保護具１００における位置決めをすることができる。
【００２９】
続いて、一方の手で上側部材１１０を下側部材１２０に対して閉じて重ね、図１０に示すように、上側及び下側部材１１０，１２０の一端側部分の厚さ方向の両側を一方の手の親指と人差し指とで挟んで持つ。このとき、後述の通り、上側及び下側心線保持部１１１，１２１によって光ファイバ心線２００の端末部２１０の基端側部分２１１が挟持保持されるので、他方の手による光ファイバ心線２００の固定の解除が可能となる。
【００３０】
最後に、図１１に示すように、固定部材１５０の両側のつまみ部１５４を他方の手の親指と人差し指とで挟んで持ち、そして、固定部材１５０を他端側（矢印の向き）に引いてスライド移動させる。このとき、固定部材１５０は、係合突起１１６を乗り越えた後、ストッパ壁１１７に当接して移動規制されることによりロック位置に位置付けられる。そして、図１２に示すように、上側及び下側心線保持部１１１，１２１は、光ファイバ心線２００の端末部２１０の基端側部分２１１を挟持保持して上側及び下側部材１１０，１２０の配設方向である上下方向に位置規制し、加えて、上側心線保持部１１１に設けられているゴムシート１１３は相対的に摩擦係数が高いことから、光ファイバ心線２００を長さ方向にも位置規制する。つまり、上側及び下側心線保持部１１１，１２１は、光ファイバ心線２００の端末部２１０の基端側部分２１１を挟持保持する挟持保持部を組合せ構成する。また、図１３に示すように、上側及び下側凹部１１２，１２２により組合せ構成された先端収容室１４０は、基端側部分２１１が挟持保持されて片持ち梁状となった基端側部分２１１から先の先端側部分２１２を非接触状態に収容する。この状態では、内部確認孔１１４からは、先端収容室１４０に収容された光ファイバ心線２００の端末部２１０の先端部分を視認することができる。
【００３１】
以上の手順により光ファイバ心線２００の端末部２１０に本実施形態に係る端末保護具１００が取り付けられた構造が構成される。なお、端末保護具１００を取り外す際には逆の手順を実行すればよい。
【００３２】
以上に説明した通り、本実施形態に係る端末保護具１００によれば、光ファイバ心線２００の端末部２１０を挟むように第１及び第２部材１１０，１２０を重ねて設けることにより、端末部２１０の基端側部分２１１が挟持保持部を構成する上側及び下側心線保持部１１１，１２１により挟持保持され、そして、基端側部分２１１から先の先端側部分２１２が先端収容室１４０に非接触状態で収容されるので、光ファイバ心線２００の端末部２１０を有効に保護することができる。
【００３３】
なお、上記実施形態においては、心線位置規制部を構成する一対の一端側壁部１２４及び一対の他端側壁部１２５が下側部材１２０に設けられた構成としたが、特にこれに限定されるものではなく、それらが上側部材１１０に設けられた構成であってもよく、また、それらが上側及び下側部材１１０，１２０の両方に設けられた構成であってもよい。
【００３４】
上記実施形態においては、挟持保持部を構成する部分である上側心線保持部１１１にゴムシート１１３が貼設された構成としたが、特にこれに限定されるものではなく、同じく挟持保持部を構成する部分である下側心線保持部１２１にゴムシートが貼設された構成であってもよく、また、挟持保持部を構成する部分である上側及び下側心線保持部１１１，１２１の両方にゴムシートが貼設された構成であってもよい。
【００３５】
上記実施形態においては、先端収容室１４０を構成する部分である上側部材１１０の上側凹部１１２に対応する部分に内部確認孔１１４が形成された構成としたが、特にこれに限定されるものではなく、同じく先端収容室１４０を構成する部分である下側部材１２０の下側凹部１２２に対応する部分に内部確認孔が形成された構成であってもよく、また、先端収容室１４０を構成する部分である上側部材１１０の上側凹部１１２に対応する部分及び下側部材１２０の下側凹部１２２に対応する部分の両方に内部確認孔が形成された構成であってもよい。
【００３６】
上記実施形態においては、上側及び下側部材１１０，１２０がヒンジ１３０により連結されて一体に形成された構成としたが、特にこれに限定されるものではなく、それらが別体に形成されていてもよい。
【産業上の利用可能性】
【００３７】
本発明は光ファイバ心線の端末部に取り付けられる端末保護具について有用である。
【符号の説明】
【００３８】
１００  端末保護具
１１０  上側部材（第１部材）
１１１  上側心線保持部
１１２  上側凹部
１１３  ゴムシート
１１４  内部確認孔
１２０  下側部材（第２部材）
１２１  下側心線保持部
１２２  下側凹部
１２３  心線接触台
１２４  一端側壁部（心線位置規制部）
１２５  他端側壁部（心線位置規制部）
１３０  ヒンジ
１４０  先端収容室
１５０  固定部材（固定手段）
２００  光ファイバ心線
２１０  端末部
２１１  基端側部分
２１２  先端側部分
【図１】
2011237619.tif 000003
【図２】
2011237619.tif 000004
【図３】
2011237619.tif 000005
【図４】
2011237619.tif 000006
【図５】
2011237619.tif 000007
【図６】
2011237619.tif 000008
【図７】
2011237619.tif 000009
【図８】
2011237619.tif 000010
【図９】
2011237619.tif 000011
【図１０】
2011237619.tif 000012
【図１１】
2011237619.tif 000013
【図１２】
2011237619.tif 000014
【図１３】
2011237619.tif 000015